(57)【要約】【課題】シートフレームに対するネットの取り付け作業が容易でありながらネットが外れにくいネットシートを提供する。【解決手段】ネット２０の周縁に係合部材２２を備えるとともに、シートフレーム３０には溝部３２が設けられており、溝部３２に係合部材２２が挿入されてネット２０がシートフレーム３０に緊張状態で取り付けられるネットの取付構造１６を有し、該ネットの取付構造１６は、係合部材２２を溝部３２に溝部３２の開口縁部３６を支点として回動させながら挿入可能であるとともに、ネット２０が取り付けられた状態ではネット２０の張力Ｔにより係合部材２２には溝部３２内で回転しようとする回転力が作用するが、溝部３２は前記回転力による係合部材２２の回転軌道に干渉する形状とされており、前記回転力による係合部材２２の回転が許容されない。【選択図】図３
2010088775.tif 000002
【特許請求の範囲】
【請求項１】
シートフレームに張設されたネットにより着座者の荷重を弾性的に支持するネットシートであって、
前記ネットの周縁に係合部材を備えるとともに、前記シートフレームには溝部が設けられており、前記溝部に前記係合部材が挿入されて前記ネットが前記シートフレームに緊張状態で取り付けられるネットの取付構造を有し、
該ネットの取付構造は、前記係合部材を前記溝部に該溝部の開口縁部を支点として回動させながら挿入可能であるとともに、前記ネットが取り付けられた状態では前記ネットの張力により前記係合部材には前記溝部内で回転しようとする回転力が作用するが、前記溝部は前記回転力による前記係合部材の回転軌道に干渉する形状とされており、前記回転力による前記係合部材の回転が許容されないことを特徴とするネットシート。
【請求項２】
請求項１に記載のネットシートであって、
前記ネットの取付構造は、前記係合部材を作業者が前記シートフレームの溝部に指で押し込むことにより挿入可能であることを特徴とするネットシート。
【請求項３】
請求項１または請求項２に記載のネットシートであって、
前記係合部材には、該係合部材を前記溝部から引き抜くにあたり把持することのできる把持部が設けられていることを特徴とするネットシート。
【発明の詳細な説明】
【技術分野】
【０００１】
本発明は、シートフレームに張設されたネットにより着座者の荷重を弾性的に支持するネットシートに関する。
【背景技術】
【０００２】
このようなネットシートとして、例えば、下記特許文献１に開示されるネットシートがある。このネットシートでは、ネットの端部に縫着された断面略Ｊ字状のフックがシートフレームに設けられたワイヤに引っ掛けられてネットがシートフレームに取り付けられている。このようなネットシートでは、ネットの取り付けに際し、ネットを張力に抗して引っ張り、一旦取り付け状態よりも緊張させた状態としてフックをワイヤに引っ掛けなければならず、その作業は必ずしも容易ではなかった。
【０００３】
ネットシートに係る技術ではないが、下記特許文献２には、クッション材で着座者の荷重を支持する椅子の背凭れにおいて、クッション材を被覆する表皮部材を容易に背板に取り付けることを目的とした技術が開示されている。この椅子では、表皮の周縁に沿って断面Ｌ字形の弾性変形可能な樹脂コードが固着されており、表皮の周縁を背板の裏側に巻き込み、樹脂コードをＶ字形に弾性変形させて背板の溝に押し込むと、溝内で樹脂コードが元のＬ字形状に戻ろうとする復元力により溝の壁に押し付けられて固定される。これにより、比較的容易に表皮を背板に取り付けることができる。
【０００４】
【特許文献１】特開２００２−２３３４３７号公報
【特許文献２】特開２００３−２３９９２２号公報
【発明の開示】
【発明が解決しようとする課題】
【０００５】
しかし、特許文献２に記載の椅子では、表皮を巻き込んで樹脂コード全体が溝の内部に入り込んでおり、表皮の張力が樹脂コードを溝から引き抜く方向に作用する。そのため、着座者の荷重によりネットに比較的大きな張力が生じるネットシートに適用すれば、樹脂コードが溝から抜け出てしまうことが懸念される。
【０００６】
そこで、本発明は、シートフレームに対するネットの取り付け作業が容易でありながらネットが外れにくいネットシートを提供することを課題とした。
【課題を解決するための手段】
【０００７】
本発明は、上記課題を解決するために以下の手段をとる。
第１の発明は、シートフレームに張設されたネットにより着座者の荷重を弾性的に支持するネットシートであって、前記ネットの周縁に係合部材を備えるとともに、前記シートフレームには溝部が設けられており、前記溝部に前記係合部材が挿入されて前記ネットが前記シートフレームに緊張状態で取り付けられるネットの取付構造を有し、該ネットの取付構造は、前記係合部材を前記溝部に該溝部の開口縁部を支点として回動させながら挿入可能であるとともに、前記ネットが取り付けられた状態では前記ネットの張力により前記係合部材には前記溝部内で回転しようとする回転力が作用するが、前記溝部は前記回転力による前記係合部材の回転軌道に干渉する形状とされており、前記回転力による前記係合部材の回転が許容されないことを特徴とする。
【０００８】
第１の発明によれば、ネットの周縁に備えられた係合部材をシートフレームの開口縁部を支点として回動させながら溝部へ挿入することにより、比較的小さな操作力で容易にシートフレームにネットを取り付けることができる。そして、このネットの取付構造は、ネットの張力を係合部材に対して溝内で回転しようとする回転力として作用させ、且つ、該回転力による係合部材の回転軌道に溝部が干渉して係合部材の回転を許容しない構成となっている。そのため、ネットの張力では係合部材が溝部から脱落しにくく、ネットがシートフレームから外れにくい。
【０００９】
第２の発明は、上記第１の発明に記載のネットシートであって、前記ネットの取付構造は、前記係合部材を作業者が前記シートフレームの溝部に指で押し込むことにより挿入可能であることを特徴とする。
【００１０】
第２の発明によれば、係合部材を指で押してシートフレームの溝部に挿入することができるため、作業者が治具等を用いずにシートフレームにネットを取り付けることが可能である。
【００１１】
第３の発明は、上記第１の発明または第２の発明に記載のネットシートであって、前記係合部材には、該係合部材を前記溝部から引き抜くにあたり把持することのできる把持部が設けられていることを特徴とする。
【００１２】
第３の発明によれば、ネットの張力では係合部材は溝部から脱落しにくいが、把持部を摘めば容易に係合部材を溝部から引き抜くことができ、シートフレームからネットを取り外して解体することが容易である。
【発明の効果】
【００１３】
上記第１の発明のネットシートによれば、シートフレームに対するネットの取り付け作業が容易でありながらネットが外れにくい。
上記第２の発明にネットシートよれば、作業者が治具等を用いずにシートフレームにネットを取り付けることが可能である。
上記第３の発明のネットシートによれば、解体しやすい。
【発明を実施するための最良の形態】
【００１４】
以下、図面を参照しながら、本発明の一実施形態について説明する。本実施形態のネットシート１０は自動車等の車両に装備されるシートであり、図１に示されるように、座面となるシートクッション１２と背凭れとなるシートバック１４とを備えている。シートクッション１２は、表皮で被覆されたパッドで着座者の荷重を弾性的に支持するものである。シートバック１４は、着座者を支持する背凭れ面１４ａがネット２０で構成されている。本実施形態においては、このシートバック１４に本発明が適用されている。したがって、以下、シートバック１４の構成を中心に説明する。なお、各図において矢印で示すＦ，Ｕはネットシート１０の前方，上方を示している。
【００１５】
図２に示されるように、シートバック１４は、骨格を成すバックフレーム３０を備え、該バックフレーム３０の前側にメッシュ状に形成された織物や編物等のネット２０が張設されている。このネット２０により着座者の荷重を弾性的に支持することのできる凭れ面１４ａ（図１参照）が構成されている。ネット２０が緊張状態でバックフレーム３０に取り付けられるネットの取付構造１６は、図３に示されるように、ネット２０の周縁に備えられた係合部材２２とバックフレーム３０に設けられた溝部３２との係り合いにより成立している。
【００１６】
ネット２０は、周縁に沿って樹脂製の係合部材２２を一体的に備えている。図３に示されるように、係合部材２２は長尺な部材であり、長手方向に直交する断面形状が略半楕円形の挿入部２４と、挿入部２４より幅の小さい矩形の基部２６とを有し、挿入部２４の円弧形状の一端と基部２６とが一続きとなるように挿入部２４と基部２６とが一体形成されて成る。この係合部材２２の基部２６がネット２０の周縁に縫着されている。
【００１７】
図２に示されるように、バックフレーム３０は門形状に屈曲形成された細長い板状で、図３に示されるように、その前端部分がシートバック１４の外方に折り返し形成され、後方に開口する溝部３２が設けられている。ネット２０はバックフレーム３０の前側に配設され、ネット２０が配設される側とは反対側に開口した溝部３２に対して、開口端部３４をネット２０の周縁で巻き込むように係合部材２２が挿入されることでバックフレーム３０に取り付けられている。図３に示されるように、溝部３２は、係合部材２２の挿入部２４が嵌合可能な形状であり、挿入部２４が嵌った状態で基部２６が開口縁部３６から突出する深さに形成されている。そのため、溝部３２に係合部材２２が嵌め込まれてネット２０が取り付けられた状態にあっては、ネット２０の張力Ｔにより係合部材２２には矢印Ａで仮想回転軌道が示されるように、開口端部３４の内側の縁である開口縁部３６を支点として回転しようとする回転力が作用する。つまり、係合部材２２の材質は限定されるものではないが、ネット２０が着座者Ｈの荷重を支持する際に該ネット２０に生じる張力Ｔが作用しても、基部２６が開口端部３４に沿って折り返されて係合部材２２を溝部３２から引き抜く後方への作用力を生じさせることがなく、開口縁部３６を支点として回転しようとする回転力を生じることが可能な程度の剛性を少なくとも備えている。溝部３２は、係合部材２２が開口縁部３６を支点として回転しようとする回転軌道Ａに干渉する形状とされており、係合部材２２の回転は許容されない。これにより、係合部材２２がネット２０の張力Ｔによって溝部３２から脱落するのが防止され、ネット２０がバックフレーム３０に張設された状態が保持されている。
【００１８】
図４に示されるように、ネット２０は、溝部３２の開口端部３４を巻き込むようにして係合部材２２が溝部３２に挿入されてバックフレーム３０に取り付けされる。係合部材２２の断面略半楕円形の挿入部２４は、基部２６の凸設されていない基端面２４ａが概ね平らな面として形成されており、その幅ｗは、作業者が指で押して溝部３２に挿入可能な寸法とされていることが好ましく、例えば、１０〜２５ｍｍ、より好ましくは１５〜２０ｍｍである。
【００１９】
図５に示されるように、溝部３２は、係合部材２２が溝部３２の開口端部３４の内側の縁である開口縁部３６を支点として回動しながら挿入されるのを許容可能な形状でもある。したがって、係合部材２２は、挿入部２４と基部２６とが連続形成された側の一側面２２ａを開口縁部３６に当てて回動しながら摺り動かすことにより溝部３２に押し込むことができる。すなわち、係合部材２２の一側面２２ａを溝部３２の開口縁部３６に当てて該開口縁部３６を支点として２０の張力に抗して係合部材２２を回動させながら挿入部２４を溝部３２の開口に挿入部２４を差し入れ（Ｐ１）、開口縁部３６を支点として更に係合部材２２を回動させるとともに挿入部２４を溝部３２の開口端部３４と対向する側面３８に沿わせて押し込み（Ｐ２，Ｐ３）、溝部３２と係合部材２２の角度が一致したら（Ｐ４）、係合部材２２を回動させずに溝部３２に更に押し込み、嵌合させる。これにより、ネット２０は緊張状態でバックフレーム３０に取り付けられる。そして、図３に示されるように、溝部３２に係合部材２２を嵌合させれば、ネット２０の張力Ｔにより係合部材２２に溝部３２の内部で回転しようとする回転力が作用し、該回転が溝部３２に許容されないことで係合部材２２の脱落が防止される。
【００２０】
以上の構成のネットシート１０によれば以下の作用効果を奏する。
先ず、ネット２０は、周縁に備えられた係合部材２２をバックフレーム３０に設けられた溝部３２に挿入する操作によりバックフレーム３０に取り付けられる。このとき、ネット２０を緊張状態で取り付けるために、後方に開口する溝部３２に対してネット２０の張力に抗して係合部材２２を押し込むこととなるが、溝部３２の開口縁部３６を支点として係合部材２２を回動させながら溝部３２に押し込むことができるため、比較的小さい操作力でネット２０を取り付けることができる。しかも、係合部材２２は指で押し込むことが可能な大きさであるため、作業者は、例えば、バックフレーム３０の前方からネット２０をバックフレーム３０の前側に配設し、そのまま前方から片手でネット２０の周縁を溝部３２に巻き込むようにして指で係合部材２２を溝部３２に押し込むことにより容易にネット２０を取り付けることができる。
次に、ネット２０が取り付けられた状態では、溝部３２の開口縁部３６から係合部材２２の基部２６が突出していることにより、ネット２０の張力により係合部材２２に開口縁部３６を支点とする回転力が生じるが、該回転力による係合部材２２の回転軌道Ａと溝部３２のとが干渉しており、回転できない。したがって、着座荷重によりネット２０により大きな張力Ｔが生じた場合でも係合部材２２は溝部３２から抜けにくく、ネット２０の取り付け状態を維持することができる。
【００２１】
なお、本発明は上記の実施形態に限定されず、本発明の要旨を逸脱しない範囲内でその他種々の実施形態が考えられるものである。
例えば、係合部材２２を溝部３２の開口方向（後方）へ引っ張ることにより溝部３２から引き抜いてネット２０を容易に取り外して解体することが可能であるが、引き抜くにあたり把持することのできる把持部を予め設けておけば、解体の容易性を一層向上させることが可能である。例えば、図６に示されるように、基部２６の端部に指を引っ掛けて後方Ｂへ引くことのできる凸部５０を形成して把持部としてもよい（変形例１）。また、例えば、図７に示されるように、把持部は、挿入部２４の基端面２４ａから後方Ｂへ突起する摘み５２として形成することもできる（変形例２）。把持部は、ネットシート１０見栄え上支障のない少なくとも一箇所に設けられるのが好ましい。ネット２０の周縁の一箇所で係合部材２２を溝部３２から引き抜けば、引き抜かれた部分から手繰って係合部材２２全体を引き抜くことができる。
【図面の簡単な説明】
【００２２】
【図１】本発明の実施形態に係るネットシートの斜視図であり、斜め前から見た図である。
【図２】本発明の実施形態に係るネットシートの斜視図であり、斜め後ろから見た図である。
【図３】図１に示されるネットシートのＩＩＩ−ＩＩＩ線断面図である。
【図４】図３に示されるネットシートのネットの取付作業を示す図である。
【図５】図３に示されるネットシートのネットの取付過程を示す図である。
【図６】本発明の実施形態に係る係合部材の変形例１を図３に対応する断面として示す図である。
【図７】本発明の実施形態に係る係合部材の変形例２を図３に対応する断面として示す図である。
【符号の説明】
【００２３】
１０  ネットシート
１４  シートバック
１６  ネットの取付構造
２０  ネット
２２  係合部材
３０  バックフレーム
３２  溝部
３４  開口端部
３６  開口縁部
５０  凸部（把持部）
５２   摘み（把持部）
【図１】
2010088775.tif 000003
【図２】
2010088775.tif 000004
【図３】
2010088775.tif 000005
【図４】
2010088775.tif 000006
【図５】
2010088775.tif 000007
【図６】
2010088775.tif 000008
【図７】
2010088775.tif 000009